(57)【特許請求の範囲】
【請求項１】
嵌合部をリセプタクル形状とされた相手側コネクタ（２０）と相互に嵌合する電気コネクタ（１０）であって、
相手側コネクタ（２０）との嵌合端（３１）が形成された絶縁ハウジング（３０）と、コンタクト片（５１）を前記嵌合端（３１）に向けて、絶縁ハウジング（３０）に並列状態で装着された複数の端子（５０）とを有している電気コネクタ（１０）において、
前記絶縁ハウジング（３０）の嵌合端（３１）側が、上壁（３７）と、この上壁（３７）の両側下方に連続する一対の側壁（３８）とでプラグ形状に構成されて、内部に前記端子（５０）のコンタクト片（５１）を収容するコンタクト収容空洞（３９）が形成されていると共に、前記上壁（３７）の上面端部が嵌合端（３１）に向って下り勾配のテーパー面（４１）とされて、相手側コネクタ（２０）を前記テーパー面（４１）の勾配と略平行に傾けてリセプタクル形状とされた嵌合部をプラグ形状とした嵌合端（３１）の外側に嵌合できるようにされ、かつ傾けた嵌合が停止する位置では、相手側コネクタ（２０）を電気コネクタ（１０）と略平行となる位置まで回動できるようにされており、
そして、前記複数の端子（５０）のコンタクト片（５１）が、コンタクト部（５３）を下向きにして前記上壁（３７）の下面に沿うように配置されて相手側コネクタ（２０）のコンタクト片（２１）と対向し、相手側コネクタ（２０）の傾けた嵌合の際には、コンタクト片（５１）のコンタクト部（５３）とコンタクト片（２１）の間にクリアランス（Ｃ）が確保できるように設定され、相手側コネクタ（２０）が傾けた嵌合を停止した位置で回動した時に、相互のコンタクト片（５１、２１）が係合するようにされていることを特徴とする電気コネクタ。
【請求項２】
コンタクト収容空洞（３９）の下部に、並列しているコンタクト片（５１）を覆うシャッタ板（７０）が設置され、相手側コネクタ（２０）の嵌合に従って退避可能とされていると共に、スプリング（７１）の弾力で常時嵌合端（３１）方向に付勢されている請求項１に記載の電気コネクタ。
【請求項３】
嵌合端（３１）側を構成した一対の側壁（３８）の内面にスプリングフック（８０）がそれぞれ装着されて、前記シャッタ板（７０）が各スプリングフック（８０）で中心方向に付勢されていると共に、スプリングフック（８０）の先端内側に形成したフック部（８３）とシャッタ板（７０）の側縁部に形成した係合凹部（７５）を対向させて互いに係合可能とされている請求項２に記載の電気コネクタ。
【請求項４】
嵌合部をリセプタクル形状とされた相手側コネクタ（２０）と相互に嵌合する電気コネクタ（１０）であって、
相手側コネクタ（２０）との嵌合端（３１）が形成された絶縁ハウジング（３０）と、コンタクト片（５１）を前記嵌合端（３１）に向けて、絶縁ハウジング（３０）に並列状態で装着された複数の端子（５０）とを有している電気コネクタ（１０）において、
前記絶縁ハウジング（３０）の嵌合端（３１）側が、上壁（３７）と、この上壁（３７）の両側下方に連続する一対の側壁（３８）とでプラグ形状に構成されて、内部に前記端子（５０）のコンタクト片（５１）を収容するコンタクト収容空洞（３９）が形成されていると共に、前記上壁（３７）の上面端部が嵌合端（３１）に向って下り勾配のテーパー面（４１）とされて、相手側コネクタ（２０）を前記テーパー面（４１）の勾配と略平行に傾けてリセプタクル形状とされた嵌合部をプラグ形状とした嵌合端（３１）の外側に嵌合できるようにされ、かつ傾けた嵌合が停止する位置では、相手側コネクタ（２０）を電気コネクタ（１０）と略平行となる位置まで回動できるようにされており、
そして、前記複数の端子（５０）のコンタクト片（５１）が、コンタクト部（５３）を下向きにして前記上壁（３７）の下面に沿うように配置されて相手側コネクタ（２０）のコンタクト片（２１）と対向し、相手側コネクタ（２０）の傾けた嵌合の際には、コンタクト片（５１）のコンタクト部（５３）とコンタクト片（２１）の間にクリアランス（Ｃ）が確保できるように設定され、相手側コネクタ（２０）が傾けた嵌合を停止した位置で回動した時に、相互のコンタクト片（５１、２１）が係合するようにされており、
更に、前記コンタクト収容空洞（３９）の下部に、並列しているコンタクト片（５１）を覆うシャッタ板（７０）が設置され、相手側コネクタ（２０）の嵌合方向で退避可能とされていると共に、スプリング（７１）の弾力で常時嵌合端（３１）方向に付勢されており、
加えて、前記嵌合端（３１）側を構成した一対の側壁（３８）の内面にスプリングフック（８０）がそれぞれ装着されて、前記シャッタ板（７０）が各スプリングフック（８０）で中心方向に付勢されていると共に、スプリングフック（８０）の先端内側に形成したフック部（８３）とシャッタ板（７０）の側縁部に形成した係合凹部（７５）を対向させて互いに係合可能とされていることを特徴とする電気コネクタ。
【発明の詳細な説明】
【０００１】
【発明の属する技術分野】
この発明は電気コネクタに係り、特に、ＰＤＡ(personal digital assistant)などの携帯情報端末に設けられた電気コネクタ（Ｉ／Ｏコネクタ）を相手側コネクタとして嵌合するのに好適な電気コネクタに関する。
【０００２】
【従来の技術】
従来、相手側コネクタとの嵌合端が形成された絶縁ハウジングと、コンタクト片を前記嵌合端に向けて、絶縁ハウジングに並列状態で装着された複数の端子とを有している構造の電気コネクタが周知である。相手側コネクタの嵌合（挿入）や嵌合解除（抜去）が随時行われる場合、嵌合解除の状態では、前記嵌合端に向けて配置された端子のコンタクト片が外部に露出するので、嵌合端にシャッタ板として機能する、保護カバー、スライダー、コンタクトカバー等々の部材を設置して露出するコンタクト片を保護できるようにした構造の電気コネクタが、実開平５−１１７５号、実開平６−５０２７０号、特開平８−７９７３号、特開平８−２０３５９４号、特開平９−６３６８５号等の公報で開示されている。
【０００３】
【発明が解決しようとする課題】
ところで、ＰＤＡ等の携帯情報端末の電気コネクタ（相手側コネクタ）と嵌合する電気コネクタでは、携帯情報端末を随時、手軽に携行できるようにするために、特に、電気コネクタと嵌合した携帯情報端末側の電気コネクタ（相手側コネクタ）が低抜去力で嵌合解除できるようにすることが要請されている。
この点、前記に説明した従来の電気コネクタでは、相互のコンタクト片が、嵌合の初期から終期まで、したがって嵌合解除の初期から終期まで、互いに摺接するようにされていたので、低抜去力で嵌合解除を可能とする要請に応じることが難しかった。
【０００４】
この発明はこのような状況に鑑みてなされたもので、相手側コネクタの嵌合解除が低抜去力で可能とした電気コネクタを提供することを基本的な目的としている。
加えて、相手側コネクタが嵌合解除された時に、嵌合端で露出するコンタクト片を確実に保護できるシャッタ板を備えた電気コネクタを提供することを第２の目的としている。
【０００５】
【課題を解決するための手段】
前記の基本的な目的のもとになされたこの発明は、相手側コネクタを傾けて嵌合および解除ができるように嵌合端が構成されている電気コネクタである。
【０００６】
即ち、請求項１の発明は、嵌合部をリセプタクル形状とされた相手側コネクタと相互に嵌合する電気コネクタであって、相手側コネクタとの嵌合端が形成された絶縁ハウジングと、コンタクト片を前記嵌合端に向けて、絶縁ハウジングに並列状態で装着された複数の端子とを有している電気コネクタにおいて、
前記絶縁ハウジングの嵌合端側が、上壁と、この上壁の両側下方に連続する一対の側壁とでプラグ形状に構成されて、内部に前記端子のコンタクト片を収容するコンタクト収容空洞が形成されていると共に、前記上壁の上面端部が嵌合端に向って下り勾配のテーパー面とされて、相手側コネクタを前記テーパー面の勾配と略平行に傾けてリセプタクル形状とされた嵌合部をプラグ形状とした嵌合端の外側に嵌合できるようにされ、かつ傾けた嵌合が停止する位置では、相手側コネクタを電気コネクタと略平行となる位置まで回動できるようにされており、
そして、前記複数の端子のコンタクト片が、コンタクト部を下向きにして前記上壁の下面に沿うように配置されて相手側コネクタのコンタクト片と対向し、相手側コネクタの傾けた嵌合の際には、コンタクト片のコンタクト部とコンタクト片の間にクリアランスが確保できるように設定され、相手側コネクタが傾けた嵌合を停止した位置で回動した時に、相互のコンタクト片が係合するようにされていることを特徴とする電気コネクタである。
【０００７】
そして、前記第２の目的も考慮した請求項２の発明は、コンタクト収容空洞の下部に、並列しているコンタクト片を覆うシャッタ板が設置され、相手側コネクタの嵌合に従って退避可能とされていると共に、スプリングの弾力で常時嵌合端方向に付勢されている請求項１に記載の電気コネクタである。
【０００８】
また、請求項３の発明は、嵌合端側を構成した一対の側壁の内面にスプリングフックがそれぞれ装着されて、前記シャッタ板が各スプリングフックで中心方向に付勢されていると共に、スプリングフックの先端内側に形成したフックとシャッタ板の側縁部に形成した係合凹部を対向させて互いに係合可能とされている請求項２に記載の電気コネクタである。
【０００９】
更に、請求項４の発明は、上記請求項１〜３の全ての特徴を備えている電気コネクタである。即ち、嵌合部をリセプタクル形状とされた相手側コネクタと相互に嵌合する電気コネクタであって、相手側コネクタとの嵌合端が形成された絶縁ハウジングと、コンタクト片を前記嵌合端に向けて、絶縁ハウジングに並列状態で装着された複数の端子とを有している電気コネクタにおいて、
前記絶縁ハウジングの嵌合端側が、上壁と、この上壁の両側下方に連続する一対の側壁とでプラグ形状に構成されて、内部に前記端子のコンタクト片を収容するコンタクト収容空洞が形成されていると共に、前記上壁の上面端部が嵌合端に向って下り勾配のテーパー面とされて、相手側コネクタを前記テーパー面の勾配と略平行に傾けてリセプタクル形状とされた嵌合部をプラグ形状とした嵌合端の外側に嵌合できるようにされ、かつ傾けた嵌合が停止する位置では、相手側コネクタを電気コネクタと略平行となる位置まで回動できるようにされており、
そして、前記複数の端子のコンタクト片が、コンタクト部を下向きにして前記上壁の下面に沿うように配置されて相手側コネクタのコンタクト片と対向し、相手側コネクタの傾けた嵌合の際には、コンタクト片のコンタクト部とコンタクト片の間にクリアランスが確保できるように設定され、相手側コネクタが傾けた嵌合を停止した位置で回動した時に、相互のコンタクト片が係合するようにされており、
更に、前記コンタクト収容空洞の下部に、並列しているコンタクト片を覆うシャッタ板が設置され、相手側コネクタの嵌合方向で退避可能とされていると共に、スプリングの弾力で常時嵌合端方向に付勢されており、
加えて、前記嵌合端側を構成した一対の側壁の内面にスプリングフックがそれぞれ装着されて、前記シャッタ板が各スプリングフックで中心方向に付勢されていると共に、スプリングフックの先端内側に形成したフックとシャッタ板の側縁部に形成した係合凹部を対向させて互いに係合可能とされていることを特徴とする電気コネクタである。
【００１０】
【作用】
請求項１の発明によれば、相手側コネクタは、嵌合端の上壁上面に形成したテーパー面と略平行に傾けて嵌合することができる。そして、このように傾けて嵌合した後、嵌合位置で回動すると、この電気コネクタのコンタクト片と相手側コネクタのコンタクト片が互いに係合して電気的な導通を得ることができる。この結果、相手側コネクタの嵌合解除は、嵌合位置で回動させて傾けた後、傾けた状態のまま抜去するようにして行うことができる。この際、嵌合位置で相手側コネクタを回動させると、相互のコンタクト片の係合も解除されるので、抜去時にはコンタクト片相互の摺接を伴わないようにでき、低抜去力で抜去を行うことができる。相手側コネクタを傾けて嵌合する時も、コンタクト片相互の摺接が伴わないので、低い嵌合力での嵌合が可能である。
【００１１】
請求項２の発明によれば、コンタクト片を覆うシャッタ板がスプリングの弾力で常時嵌合方向に付勢されて設けられているので、相手側コネクタを嵌合解除すると、退避していたシャッタ板を、露出するコンタクト片を覆う位置へ復帰させることができる。このため、コンタクト片が露出して、ごみなどで汚染されることをなくし、また、手指などで直接触れられるのを防止する。
【００１２】
請求項３の発明によれば、シャッタ板が両側からスプリングフックの弾力で中心側に付勢された構造であるので、シャッタ板の組付けが容易にできる。シャッタ板を嵌合端から差し込むようにすることで、各スプリングフックを外側に退避させることができるためである。また、組み付けた状態では、スプリングフックの先端内側のフックとシャッタ板の側縁部の係合凹部が対向しているので、嵌合部から脱落しようとするシャッタ板を、フックと係合部の係合によって脱落しないようにすることができる。
【００１３】
【発明の実施の形態】
以下、この発明の実施形態を添付の図を参照して説明する。
【００１４】
図１は、実施形態の電気コネクタ１０の最も特徴的な部分を、相手側コネクタ２０と共に表している。電気コネクタ１０の全体図が図２〜図５に示され、相手側コネクタ２０が嵌合されていない状態の断面が図６に示されている。また、相手側コネクタ２０の嵌合を完了した状態が図８に示されている。
【００１５】
この電気コネクタ１０は、絶縁ハウジング３０と、複数の端子５０と、シャッタ板７０とを備えている。絶縁ハウジング３０およびシャッタ板７０は、絶縁性樹脂が成形されたものであり、端子５０は、金属板を打ち抜いて成形されたものである。
【００１６】
絶縁ハウジング３０は、相手側コネクタ２０が嵌合される嵌合端３１と、この嵌合端３１と反対側の後端３２を有し、嵌合端３１から後端３２に向って両側の左右の方向に細長い形状をしており、後端３２側両側に取付片３３が設けられている。この電気コネクタ１０の場合、上面１０ａを基板などへの取付面としており、取付片３３は上面１０ａと略面一となっている。また、上面１０ａには円柱状の位置決めボス３４も設けられている。
【００１７】
後端３２側の上部には、前記端子５０を受け入れて保持できるように多数の端子受入空洞３５（図６参照）が左右の方向に所定のピッチで横並びに形成されて、後端３２側から端子５０が装着できるようにされている。また、後端３２側の下部には、図６に表れているように、シャッタ板７０の退避空洞３６が嵌合端３１側を開口した状態で形成されている。
【００１８】
絶縁ハウジング３０の嵌合端３１側は、下側が開放したプラグ形状にされている。即ち、嵌合端３１側は、電気コネクタ１０の上面１０ａの一部を画成している上壁３７と、この上壁３７の左右両側から下方にそれぞれ連続する一対の側壁３８とで構成されている。上壁３７とこれに連続する側壁３８とで断面が門形に形成されて下側が開放している。このように形成された、上壁３７と一対の側壁３８でなる嵌合端側の内側は、前記端子受入空洞３５に連通しており、この部分を、端子受入空洞３５に装着された端子５０から延びるコンタクト片５１を収容するコンタクト収容空洞３９としている。
【００１９】
前記上壁３７の下面には、前記端子受入空洞３５のそれぞれに対応させてコンタクト溝４０が嵌合端３１まで形成され、嵌合端３１の部分では上壁３７の上面までコンタクト溝４０が延びている。この部分は、コンタクト片５１が変形する際の逃げ溝４０ａとして機能する。
【００２０】
また、前記上壁３７の上面には、端部に嵌合端３１に向って下り勾配のテーパー面４１が形成されている。テーパー面４１の傾斜角度は、この実施形態の場合、約２０度の角度とされているが、必ずしもこの角度でなくても良い。また、側壁３８の下側縁にも、テーパー面４１と略対称をなすテーパー縁４２が形成されているが、このテーパー縁４２は必須のものではない。
【００２１】
端子５０は、図６にその形状が最も良く表れている。前記端子受入空洞３５に挿入されて、そこに係止する本体部分５２から前記コンタクト片５１が延びている。コンタクト片５１は、本体部分５２から斜め下方に延びるようにされていると共に、先端部がＶ字状に屈曲されてコンタクト部５３が下向きとなって突出するようにされている。
【００２２】
端子５０の本体部分５２を絶縁ハウジング３０の端子受入空洞３５に挿入して係止させた時には、コンタクト片５１が前記コンタクト収容空洞３９において、上壁３７の下面に沿って配置され、上壁３７の下面に形成したコンタクト溝４０に収容されるようにされている。コンタクト片５１は、コンタクト溝４０に略収容されて、下向きに形成されたコンタクト部５３の部分がコンタクト溝４０から下方に突出する。コンタクト溝４０は、隣接する端子５０のコンタクト片５１が互いに接触することを防止している。
【００２３】
コンタクト片５１に形成されたコンタクト部５３と、絶縁ハウジング３０の嵌合端３１側に形成したテーパー面４１との間の距離Ｌ（図６）が、相手側コネクタ２０との関係で、ある一定の距離とされている。この関係は、以下の説明で明らかになる。
【００２４】
端子５０の本体部分５２の反対側には、テイル片５４が延びている。テイル片５４の半田付け面５４ａは、取付面である電気コネクタ１０の上面１０ａと略面一とされている。
【００２５】
次に、図２、４および図６に表れているシャッタ板７０について説明する。このシャッタ板７０は、絶縁ハウジング３０の嵌合端３１側に形成されたコンタクト収容空洞３９の下部に納まる大きさの略方形の形状とされている。コンタクト収容空洞３９において、上壁３７の下面に沿って並列して延びている端子５０のコンタクト片５１を覆うように、コンタクト片５１と略平行にして設置されている。また、絶縁ハウジング３０の後端３２側に設けた退避空洞３６の開口と対向するように、退避空洞３６と同一レベルに配置されて、相手側コネクタ２０が嵌合される時には、シャッタ板７０が退避空洞３６内に移動して退避できるようにされている。
【００２６】
シャッタ板７０がコンタクト片５１を覆う位置と、退避空洞３６に退避した位置の間で直線的に移動できるように、シャッタ板７０の両側縁が、コンタクト収容空洞３９を画成している側壁３８で案内されている。また、シャッタ板７０と絶縁ハウジング３０の間で設置したコイルスプリング７１の弾力でシャッタ板７０を嵌合端３１の方向に常時付勢し、シャッタ板７０に外力が加えられない時には、コンタクト片５１を覆う位置に常に移動しているようにされている。
【００２７】
シャッタ板７０の直線的移動を案内するために、側壁３８の内側に案内溝４３が嵌合端３１から後端３２の方向に形成されている一方、シャッタ板７０の両側縁には、図９以下に示されているように、突縁７２が設けられ、突縁７２が案内溝４３に収容されている。
【００２８】
また、前記コイルスプリング７１は、絶縁ハウジング３０の後端３２側の両側に形成したスプリング収容穴４４に装着されている。そして、シャッタ板７０の両側にガイドピン７３がスプリング収容穴４４と対向するように設けられて、ガイドピン７３とコイルスプリング７１が嵌り合うようにしてある。コイルスプリング７１は弾発スプリングであって、シャッタ板７０を嵌合端３１の方向へ常時付勢できるようになっている。
【００２９】
コイルスプリング７１で付勢されるシャッタ板７０が嵌合端３１から脱落しないようにするために、図７および図９以下に表れているようなスプリングフック８０が絶縁ハウジング３０側に設けられている。このスプリングフック８０は、ばね性を有する金属板を端子５０と同様に打ち抜いて成形されたものである。Ｕ字状に折曲された基端装着部８１の一側からばね片８２が片持ち梁状に延び、そして、ばね片８２の先端が逆Ｕ字状に折り返されてフック部８３が形成されている。
【００３０】
スプリングフック８０は、シャッタ板７０の両側にそれぞれ設けられている。このスプリングフック８０の設置のために、コンタクト収容空洞３９を形成した前記側壁３８に、スプリング収容溝４５が設けられている。即ち、側壁３８に形成した前記案内溝４３の奥側、即ち外側にスプリング収容溝４５が、案内溝４３に沿って形成されている。スプリングフック８０は、絶縁ハウジング３０の後端３２側からフック部８３を前方にして装着されている。基端装着部８１の係止片８４を絶縁ハウジング３０の係止片受入溝４６に挿入して係止すると、ばね片８２は、フリー状態で案内溝４３内に延びるようにされており（図１０参照）、スプリング収容溝４５側に弾性変形が可能の状態にされると共に、フック部８３のフック片８５も案内溝４３内に突出するようにされている。
【００３１】
シャッタ板７０を前記の所定の位置に設置するに当たっては、絶縁ハウジング３０側に設けた一対のスプリング収容穴４４にそれぞれコイルスプリング７１をセットした後、シャッタ板７０を略水平にして嵌合端３１側から差し込むようにする。図９および図１０はこの時のスプリングフック８０の変形の様子を示している。
【００３２】
即ち、シャッタ板７０の両側に設けられた突縁７２を、それぞれ対応する案内溝４３に嵌めて差し込んで行くと、始めに、突縁７２に形成されたテーパー部７４と、案内溝４３に突出しているフック部８３のフック片８５が係合して、両側のばね片８２をそれぞれ、図９のように外側のスプリング収容溝４５側に弾性変形させる。
【００３３】
更にシャッタ板７０を図１０のように差し込んで行くと、突縁７２がフック片８５を越えたところで、ばね片８２が案内溝４３側に弾性復帰して突縁７２の外側に当たり、そして、フック部８３のフック片８５が案内溝４３に突出して、突縁７２の係合凹部７５と対向するようになる。この結果、コイルスプリング７１で嵌合端３１側に付勢されるシャッタ板７０は、対向するフック片８５と係合凹部７５の係合によって、嵌合端３１方向への脱出が阻止できるようにされている。
【００３４】
スプリングフック８０のばね片８２は、シャッタ板７０に対して両側から弾性復元力を作用させて、シャッタ板７０をコンタクト収容空洞３９において略中央に常時センタリングすることになる。また、シャッタ板７０が外力で一側に片寄る場合も、一方のスプリングフック８０のばね片８２はスプリング収容溝４５側に弾性変位し、他方のスプリングフック８０のばね片８２は案内溝４３側に突出する方向に弾性変位して追従し、外力が除かれると、略中央の位置にセンタリングすることが可能となっている。
【００３５】
更に、図１１に示したように、シャッタ板７０が何らかの理由で傾いた場合でも、一方の（図において左側）スプリングフック８０のばね片８２の弾性によって、フック部８３と突縁７２の係合凹部７５を案内溝４３で係合させて、シャッタ板７０の脱落を阻止できるようになっている。
【００３６】
次に、以上のように構成された電気コネクタ１０と相手側コネクタ２０の嵌合および嵌合解除について図１を参照して説明する。
【００３７】
電気コネクタ１０の嵌合端３１側が、前記のように上壁３７と左右一対の側壁３８で構成されて、下方が開放された形態とされ、そして、上壁３７の上面端部が嵌合端３１に向って下り勾配のテーパー面４１とされているので、相手側コネクタ２０は、図１に示すように、テーパー面４１の勾配と略平行に傾けて矢示Ａのように嵌合することができる。
【００３８】
テーパー面４１から端子５０のコンタクト部５３までの、前記距離Ｌ（図６に示す）は、相手側コネクタ２０のコンタクト片２１と、コンタクト部５３との間でクリアランスＣが確保できるように設定されているものである。したがって、相手側コネクタ２０を図示のように傾けて斜め下方から矢示Ａの方向へ嵌合する際には、電気コネクタ１０側のコンタクト部５３と相手側コネクタ２０側のコンタクト片２１を互いに摺接しないようにできる。コンタクト部５３とコンタクト片２１が摺接しないので大きな嵌合力を嵌合時に必要としなくすることができる。
【００３９】
相手側コネクタ２０を傾けて嵌合するのは、図１に示した位置までで、この傾けた嵌合が停止する位置で、相手側コネクタ２０は矢示Ｂの方向に回動が可能であり、相手側コネクタ２０を電気コネクタ１０と略平行となる位置まで回動させて、図８に示したような嵌合完了状態とする。相手側コネクタ２０を矢示Ｂの方向に回動させると、そのコンタクト片２１がコンタクト部５３に近接して行き、図８の最終状態では、コンタクト片５１を上壁３７と略平行な状態まで弾性変形させる。コンタクト部５３とコンタクト片２１はコンタクト片５１の弾性復帰力で適度な接触圧で当接し、信頼性の高い電気的導通を得ることができる。
【００４０】
嵌合した相手側コネクタ２０の嵌合解除は、上記と逆の手順で行うことができる。始めに、図８の最終嵌合状態から相手側コネクタ２０を矢示Ｂと反対の方向に回動させてテーパー面４１と略平行にした後、矢示Ａと反対の方向に抜去するようにする。相手側コネクタ２０を回動させることで、コンタクト部５３とコンタクト片２１の係合が離れるので、抜去の際には、嵌合時と同様に、コンタクト部５３とコンタクト片２１を摺接しないようにでき、低抜去力で嵌合解除を行うことができる。
【００４１】
尚、図示した相手側コネクタ２０は、ＰＤＡその他の携帯情報端末に設置される電気コネクタであって、この発明の電気コネクタ１０のプラグ形状をした嵌合端３１側と嵌り合うリセプタクル形状をしたものである。絶縁ハウジング２２に複数のコンタクト片２１を並列させる端子ステージ２３が設けられ、その周りをメタルシェル２４が囲んで嵌合口を形成している。コンタクト片２１には、絶縁ハウジング２２の後面から端子ステージ２３内に形成した接続空洞２５に片持ち梁となって延びる第２のコンタクト片２６が連続している。携帯情報端末のセット内で基板（図示せず）或は基板に接続したＦＰＣ２７を接続空洞２５に差し込むと、第２のコンタクト片２６が接点と係合するようにされている。
【００４２】
前記のように、相手側コネクタ２０を嵌合端３１に嵌合すると、端子ステージ２３がシャッタ板７０を後端３２の方向に押すので、シャッタ板７０はコイルスプリング７１の付勢力に抗して退避空洞３６内に退避する（図８）。また、相手側コネクタ２０を嵌合解除すると、コイルスプリング７１で付勢されて嵌合端３１側に移動し、コンタクト片５１が露出しないように覆い、ごみなどが付着したり、手指などが触れないように保護する。
【００４３】
以上、実施形態について説明した。尚、ここで述べた上、下、左、右は添付の図を基準としたものである。実際の使用状況では、上が下になったり、或は右、左となることがあるのは言うまでもない。
【００４４】
【発明の効果】
請求項１の発明によれば、嵌合解除の際に相手側コネクタを傾けて抜去できるようにし、この時相互のコンタクト片が摺接しないようにしたので、低抜去力で嵌合解除が可能な電気コネクタを提供することができる。
【００４５】
請求項２の発明によれば、相手側コネクタを嵌合解除した時には、シャッタ板がコンタクト片を覆って露出しないようにしたので、コンタクト片の汚染を防止すると共に、手指などで直接触れないようにして、静電気の障害を防止できる電気コネクタを提供することができる。
【００４６】
請求項３の発明によれば、スプリングフックを外側に弾性変位させつつシャッタ板を差し込むようにして組み付けることができるので、組み立てを容易にすることができる。そして、組み付けたシャッタ板は、フック部の係合で脱落を防止できるので、汚染防止や静電気障害防止などのシャッタ板の機能を確実に発揮することができる。
【００４７】
請求項４の発明は、請求項１〜３の発明の構成を全て備えているので、上記の諸効果を同時に達成することができる。
【図面の簡単な説明】
【図１】  この発明の実施形態の電気コネクタに相手側コネクタを嵌合する途中の拡大断面図である。
【図２】  実施形態の電気コネクタの正面図である。
【図３】  実施形態の電気コネクタの平面図である。
【図４】  実施形態の電気コネクタの底面図である。
【図５】  実施形態の電気コネクタの左側面図である。
【図６】  図２のＡ−Ａ線に沿って示した拡大断面図である。
【図７】  図２のＢ−Ｂ線に沿って示した拡大断面図である。
【図８】  実施形態の電気コネクタと相手側コネクタを嵌合した状態の拡大断面図である。
【図９】  図７と同様の拡大断面図であり、シャッタ板を差し込む途中の状態を説明する図である。
【図１０】  同じく、シャッタ板の組付け完了状態を説明する図である。
【図１１】  同じく、シャッタ板が傾いた状態を説明する図である。
【符号の説明】
１０          電気コネクタ
２０          相手側コネクタ
２１          コンタクト片
３０          絶縁ハウジング
３１          嵌合端
３７          上壁
３８          側壁
３９          コンタクト収容空洞
４１          テーパー面
５０          端子
５１          コンタクト片
５３          コンタクト部
７０          シャッタ板
７１          コイルスプリング
７５          係合凹部
８０          スプリングフック
８３          フック部
【図１】
0003981942.tif 000002
【図２】
0003981942.tif 000003
【図３】
0003981942.tif 000004
【図４】
0003981942.tif 000005
【図５】
0003981942.tif 000006
【図６】
0003981942.tif 000007
【図７】
0003981942.tif 000008
【図８】
0003981942.tif 000009
【図９】
0003981942.tif 000010
【図１０】
0003981942.tif 000011
【図１１】
0003981942.tif 000012